(57)【特許請求の範囲】
【請求項１】
建築物の通気層内に設置される防炎シャッタであって、複数の通気孔を有し且つ通気層を横断して架設されるシャッタベースと、当該シャッタベースの片面に重なることで前記各通気孔を閉塞可能なシャッタ片と、当該シャッタ片をシャッタベースに連結してその片面側に支持する連結部材とを備え、前記連結部材は、一端が前記シャッタ片に固定されて前記通気孔を貫通する連結ロッドと、横向きＵ字状に屈曲されてその一端部が前記シャッタベースの他の片面に固定され、かつ、他端部が前記連結ロッドの他端に固定されたバイメタルとを有し、常温条件下では前記シャッタ片をシャッタベースから離間した状態に保持し、１００〜２００℃の温度条件下では前記シャッタ片をシャッタベースに重なった状態に保持する性状を備えていることを特徴とする防炎シャッタ。
【請求項２】
建築物の通気層内に設置される防炎シャッタであって、通気層の幅方向に沿って水平に取り付けられる支持ベースと、当該支持ベースの長手方向に沿って所定ピッチで配列された複数の略垂直な支持片と、Ｕ字状に屈曲され且つその屈曲部が前記各支持片の上端または下端に連結された複数のバイメタルと、各バイメタルの両端部にそれぞれ設けられ且つ通気層の幅方向に突出するシャッタ片とを備え、前記各バイメタルは、常温条件下ではその対向端部に配置された各シャッタ片を相互に離間した状態に保持して通気層を開放し、１００〜２００℃の温度条件下では各シャッタ片を相互に当接した状態に保持して通気層を遮断する性状を備えていることを特徴とする防炎シャッタ。
【発明の詳細な説明】
【０００１】
【発明の属する技術分野】
本発明は、防炎シャッタに関し、詳しくは、建築物の通気層内に設置される防炎シャッタであって、通気層内の温度変化に応じ、火災発生時には通気層を遮断でき、平常時や鎮火後には通気層を開放できる防炎シャッタに関する。
【０００２】
【従来の技術】
木造住宅等の建築物においては、快適な居住空間を確保し且つ冷暖房の省エネルギ化を達成するため、高断熱・高気密化が普及している。また、その一環として、建築物の外壁部には、躯体の内部に湿気が滞留するのを防止するため、外壁材の内側に外気を流通させる通気層が設けられる（特開平３−１３７３３５号、特開平７−２５９２０３号、実公平７−１２４８８号の各公報参照）。
【０００３】
しかしながら、通気層構造の建築物においては、火災発生の際に火炎が通気層を介して急速に広がり、階上や隣室への延焼を助長する虞がある。そこで、木造住宅などにおいては、通気層内に通気役物（ファイヤーストップ）を設置する耐火構造が推奨されている。この通気役物は、例えば、複数の通気孔を有する上下２段の仕切片が通気層を横断する状態で且つ通気層に沿って水平に架設されて成る。
【０００４】
【発明が解決しようとする課題】
ところで、前記の通気役物（ファイヤーストップ）は、複数の通気孔が常時開口した構造であるため、平常時においては通気層の通風を維持することが出来るが、火災発生の際には火炎を確実に遮断することが出来ないという問題がある。
【０００５】
本発明は、前記の実情に鑑みてなされたものであり、その目的は、平常時には通気層の通風を維持でき、火災発生の際には火炎を確実に遮断でき、しかも、鎮火後には再び通気層の通風を回復できる防炎シャッタを提供することにある。
【０００６】
【課題を解決するための手段】
前記の目的を達成するため、第１の発明は、建築物の通気層内に設置される防炎シャッタであって、複数の通気孔を有し且つ通気層を横断して架設されるシャッタベースと、当該シャッタベースに重なることで前記各通気孔を閉塞可能なシャッタ片と、当該シャッタ片をシャッタベースに連結する連結部材とを備え、前記連結部材は、可逆的に熱変形可能な材料で構成され、常温条件下では前記シャッタ片をシャッタベースから離間した状態に保持し、高温条件下では熱変形して前記シャッタ片をシャッタベースに重なる状態に保持する性状を備えていることを特徴とする。
【０００７】
また、第２の発明は、建築物の通気層内に設置される防炎シャッタであって、複数の通気孔を有し且つ通気層を横断して架設されるシャッタベースと、当該シャッタベースの片面に重なることで前記各通気孔を閉塞可能なシャッタ片と、当該シャッタ片をシャッタベースに連結してその片面側に支持する連結部材とを備え、前記連結部材は、一端が前記シャッタ片に固定されて前記通気孔を貫通する連結ロッドと、横向きＵ字状に屈曲されてその一端部が前記シャッタベースの他の片面に固定され、かつ、他端部が前記連結ロッドの他端に固定されたバイメタルとを有し、常温条件下では前記シャッタ片をシャッタベースから離間した状態に保持し、１００〜２００℃の温度条件下では前記シャッタ片をシャッタベースに重なった状態に保持する性状を備えていることを特徴とする。
【０００８】
更に、第３の発明は、建築物の通気層内に設置される防炎シャッタであって、通気層の幅方向に沿って水平に取り付けられる支持ベースと、当該支持ベースの長手方向に沿って所定ピッチで配列された複数の略垂直な支持片と、Ｕ字状に屈曲され且つその屈曲部が前記各支持片の上端または下端に連結された複数のバイメタルと、各バイメタルの両端部にそれぞれ設けられ且つ通気層の幅方向に突出するシャッタ片とを備え、前記各バイメタルは、常温条件下ではその対向端部に配置された各シャッタ片を相互に離間した状態に保持して通気層を開放し、１００〜２００℃の温度条件下では各シャッタ片を相互に当接した状態に保持して通気層を遮断する性状を備えていることを特徴とする。
【０００９】
また、第４の発明は、建築物の通気層内に設置される防炎シャッタであって、複数の通気孔を有し且つ通気層を横断して架設される上部仕切片および下部仕切片が設けられたシャッタベースと、前記下部仕切片に重なることでその通気孔を閉塞可能なシャッタ片と、下部仕切片の通気孔を貫通して前記シャッタ片を上部仕切片から吊持する吊持バネとを備え、前記吊持バネは、形状記憶合金から成り、常温条件下では前記シャッタ片を前記下部仕切片の下方に離間させる伸長状態に変形し、１００〜２００℃の変態温度条件では前記シャッタ片を下部仕切片に重ねる収縮状態に復帰する性状を備えていることを特徴とする。
【００１０】
【発明の実施の形態】
以下、添付の図面を参照し、第１〜第４の発明に係る防炎シャッタを説明する。図１は第１の発明に係る防炎シャッタの構造を示す垂直断面図である。図２は第１の発明に係る防炎シャッタの作用を示す垂直断面図である。図３は本発明の防炎シャッタが設置される通気層を備えた建築物の外壁部の垂直断面図である。図４は第２の発明に係る防炎シャッタの構造を示す垂直断面図である。図５は第２の発明に係る防炎シャッタの作用を示す垂直断面図である。図６は第２の発明に係る防炎シャッタのバイメタルの形状の一例を示す斜視図である。図７は第２の発明に係る防炎シャッタのバイメタルの形状の他の例を示す斜視図である。図８は第３の発明に係る防炎シャッタの構造を示す斜視図である。図９は第３の発明に係る防炎シャッタの作用を示す斜視図である。図１０は第４の発明に係る防炎シャッタの構造を示す垂直断面図である。図１１は第４の発明に係る防炎シャッタの作用を示す垂直断面図である。
【００１１】
先ず、第１の発明に係る防炎シャッタを説明する。第１の発明に係る防炎シャッタは、図１及び図２に符号（１０）で示す様に、建築物の通気層（Ａ）内に設置される防炎シャッタであって、複数の通気孔（１１Ａ）を有し且つ通気層（Ａ）を横断して架設されるシャッタベース（１１）と、シャッタベース（１１）に重なることで各通気孔（１１Ａ）を閉塞可能なシャッタ片（１２）と、シャッタ片（１２）をシャッタベース（１１）に連結する連結部材（１３）とを備えている。そして、連結部材（１３）は、可逆的に熱変形可能な材料で構成され、常温条件下ではシャッタ片（１２）をシャッタベース（１１）から離間した状態に保持し（図１参照）、高温条件下では熱変形してシャッタ片（１２）をシャッタベース（１１）に重なる状態に保持する性状を備えている（図２参照）。
【００１２】
通気層（Ａ）は、図３に示す様に、建築物の外壁部を構成する外壁材（Ｂ）とその内側の構造用面材（Ｃ）との間に２０ｍｍ程度の隙間間隔で形成される空間であり、左右の縦胴縁（図示省略）で仕切られた幅４００〜２０００ｍｍ程度の空間として外壁部の幅方向に多数形成されている。そして、各通気層（Ａ）は、外壁材（Ｂ）の下端側の水切開口部（Ｄ）及び上端側の軒天開口部（Ｅ）を介して外気に連通している。また、構造用面材（Ｃ）とその内側の内装材（Ｆ）との間には、断熱材（Ｇ）が介設されている。
【００１３】
シャッタベース（１１）は、厚みが０．１〜１ｍｍ程度の金属板から成る。金属板としては、アルミニウム板や銅板も使用可能であるが、鉄系金属板、特に、ステンレス鋼板が好ましい。このシャッタベース（１１）は、図１及び図２に示す様に、外壁材（Ｂ）および構造用面材（Ｃ）に沿って屈曲する接合片（１１Ｂ），（１１Ｃ）が両縁部に形成されたクランク状の断面形状を有する。そして、一方の接合片（１１Ｃ）が構造用面材（Ｃ）に釘止めされることにより、シャッタベース（１１）は通気層（Ａ）の幅方向に沿って略水平に架設される。
【００１４】
シャッタベース（１１）の各通気孔（１１Ａ）は、直径が５〜１５ｍｍ程度の円形であり、シャッタベース（１１）の長手方向（通気層（Ａ）の幅方向）に３０〜５０ｍｍ程度のピッチで配列されている。なお、各通気孔（１１Ａ）の形状は、円形に限らず、楕円形や四角形としてもよい。
【００１５】
シャッタ片（１２）は、前記シャッタベース（１１）と同様の金属板により円板状に形成されている。シャッタ片（１２）の直径は、各通気孔（１１Ａ）を閉塞可能な大きさとして、例えば、７〜１８ｍｍ程度に設定されている。
【００１６】
連結部材（１３）は、可逆的に熱変形可能な材料、例えば、バイメタルや形状記憶合金により、幅５〜１０ｍｍ程度の帯状に形成されている。この連結部材（１３）は、一端側が横向きＵ字状に屈曲され、他端側が通気孔（１１Ａ）を貫通する起立状態に伸長されている。そして、この連結部材（１３）は、一端部がシャッタベース（１１）の下面に溶接され、他端部がシャッタ片（１２）の下面に溶接されている。
【００１７】
第１の発明に係る防炎シャッタ（１０）は、図３に示す次の部位の少なくとも１個所に設置される。例えば、火の粉が土台側から通気層（Ａ）内に浸入して上昇するのを防止するため、通気層（Ａ）の水切開口部（Ｄ）の近傍に設置される。また、火の粉が軒裏から通気層（Ａ）内へ吸引されるのを防止するため、通気層（Ａ）の軒天開口部（Ｅ）の近傍に設置される。さらに、上階と下階の間の延焼を防止するため、通気層（Ａ）の上下階の境界部（Ｈ）の近傍に設置される。
【００１８】
通気層（Ａ）内に設置された第１の発明に係る防炎シャッタ（１０）は、常温条件下では、図１に示す様に、連結部材（１３）がシャッタ片（１２）をシャッタベース（１１）の上方に離間した状態に支持している。すなわち、シャッタ片（１２）がシャッタベース（１１）の各通気孔（１１Ａ）を開放するのであり、通気層（Ａ）を確実に開放してその通風を確実に維持することが出来る。
【００１９】
一方、火災発生によって通気層（Ａ）内の防炎シャッタ（１０）付近の温度が１００〜２００℃の高温条件下となると、図２に示す様に、連結部材（１３）の横向きＵ字状に屈曲された部分が伸長方向に熱変形することにより、連結部材（１３）がシャッタベース（１１）の上面にシャッタ片（１２）を引きつけて重ねる。すなわち、シャッタベース（１１）の各通気孔（１１Ａ）を各シャッタ片（１２）によって閉塞するのであり、通気層（Ａ）を確実に遮断して火炎を遮断することが出来る。その結果、火炎が通気層（Ａ）を介して急速に広がる事態を回避することが出来、建築物の延焼を抑制することが出来る。
【００２０】
また、鎮火により通気層（Ａ）内の防炎シャッタ（１０）付近の温度が常温付近まで低下すると、図１に示す様に、連結部材（１３）の横向きＵ字状に屈曲された部分が収縮方向に熱変形することにより、連結部材（１３）は、再びシャッタ片（１２）をシャッタベース（１１）の上方に離間して支持する。すなわち、シャッタベース（１１）の各通気孔（１１Ａ）を開放するのであり、通気層（Ａ）を再び開放してその通風を回復することが出来る。
【００２１】
次に、第２の発明に係る防炎シャッタを説明する。第２の発明に係る防炎シャッタは、図４及び図５に符号（２０）で示す様に、建築物の通気層（Ａ）内に設置される防炎シャッタであって、複数の通気孔（２１Ａ）を有し且つ通気層（Ａ）を横断して架設されるシャッタベース（２１）と、シャッタベース（２１）の片面に重なることで各通気孔（２１Ａ）を閉塞可能なシャッタ片（２２）と、シャッタ片（２２）をシャッタベース（２１）に連結してその片面側に支持する連結部材（２３）とを備えている。また、連結部材（２３）は、一端がシャッタ片（２２）に固定されて通気孔（２１Ａ）を貫通する連結ロッド（２３Ａ）と、横向きＵ字状に屈曲されてその一端部がシャッタベース（２１）の他の片面に固定され、かつ、他端部が連結ロッド（２３Ａ）の他端に固定されたバイメタル（２３Ｂ）とを有している。そして、連結部材（２３）は、常温条件下ではシャッタ片（２２）をシャッタベース（２１）から離間した状態に保持し（図４参照）、１００〜２００℃の温度条件下ではシャッタ片（２２）をシャッタベース（２１）に重なった状態に保持する性状を備えている（図５参照）。
【００２２】
シャッタベース（２１）は、前述した第１の発明に係る防炎シャッタ（１０）のシャッタベース（１１）と同様に構成されている。すなわち、シャッタベース（２１）は、シャッタベース（１１）と同様の金属板により、接合片（１１Ｂ），（１１Ｃ）と同様の接合片（２１Ｂ），（２１Ｃ）を有する断面形状に形成されている。また、シャッタベース（２１）には、通気孔（１１Ａ）と同様の通気孔（２１Ａ）がその長手方向に沿って複数配列されている。そして、一方の接合片（２１Ｃ）が構造用面材（Ｃ）に釘止めされることにより、シャッタベース（２１）は通気層（Ａ）の幅方向に沿って略水平に架設されている。
【００２３】
シャッタ片（２２）は、前記防炎シャッタ（１０）のシャッタ片（１２）と同様の金属板により、通気孔（２１Ａ）を閉塞可能な大きさの円板状に形成されている。
【００２４】
連結部材（２３）の連結ロッド（２３Ａ）は、前記シャッタベース（１１）と同種の金属から成る直径１〜２ｍｍ、長さ１０〜３０ｍｍ程度のロッドであり、その一端部はシャッタ片（２２）の略中央部に固定されている。また、バイメタル（２３Ｂ）は、図６に示す様に、幅５〜１０ｍｍ程度の帯状に形成され、その一端側には、シャッタベース（２１）の通気孔（２１Ａ）と略同等の大きさを有し且つこれに重なる通気孔（２３Ｃ）が形成されている。そして、前記連結ロッド（２３Ａ）は、通気孔（２１Ａ）および通気孔（２３Ｃ）を貫通してその他端がバイメタル（２３Ｂ）の他端部の幅方向中央部に固定されている。なお、バイメタル（２３Ｂ）の一端側には、図７に示す様に、前記通気孔（２３Ｃ）に代る通気切欠き（２３Ｄ）を形成してもよい。
【００２５】
第２の発明に係る防炎シャッタ（２０）は、第１の発明に係る防炎シャッタ（１０）と同様に、図３に示す通気層（Ａ）の水切開口部（Ｄ）の近傍、軒天開口部（Ｅ）の近傍または境界部（Ｈ）の近傍の少なくとも１個所に設置される。
【００２６】
通気層（Ａ）内に設置された第２の発明に係る防炎シャッタ（２０）は、常温条件下では、図４に示す様に、連結部材（２３）がシャッタ片（２２）をシャッタベース（２１）の上方に離間した状態に支持している。すなわち、シャッタ片（２２）がシャッタベース（２１）の各通気孔（２１Ａ）を開放するのであり、通気層（Ａ）を確実に開放してその通風を確実に維持することが出来る。
【００２７】
一方、火災発生によって通気層（Ａ）内の防炎シャッタ（２０）付近の温度が１００〜２００℃に達すると、図５に示す様に、連結部材（２３）の横向きＵ字状に屈曲されたバイメタル（２３Ｂ）が熱膨張し、その他端が下方に移動する。このため、連結ロッド（２３Ａ）が下方に移動してシャッタ片（２２）をシャッタベース（１１）の上面に重ねる。すなわち、シャッタベース（２１）の各通気孔（２１Ａ）を各シャッタ片（２２）によって閉塞するのであり、通気層（Ａ）を確実に遮断して火炎を遮断することが出来る。その結果、火炎が通気層（Ａ）を介して急速に広がる事態を回避することが出来、建築物の延焼を抑制することが出来る。
【００２８】
また、鎮火により通気層（Ａ）内の防炎シャッタ（２０）付近の温度が常温付近まで低下すると、図４に示す様に、連結部材（２３）のバイメタル（２３Ｂ）が熱収縮し、その他端が上方に移動するため、連結部材（２３）は、再びシャッタ片（２２）をシャッタベース（２１）の上方に離間した状態に支持する。すなわち、シャッタベース（２１）の各通気孔（２１Ａ）を開放するのであり、通気層（Ａ）を再び開放してその通風を回復することが出来る。
【００２９】
次に、第３の発明に係る防炎シャッタを説明する。図８及び図９に示す様に、第３の発明に係る防炎シャッタ（３０）は、建築物の通気層内に設置される防炎シャッタであって、通気層の幅方向に沿って水平に取り付けられる支持ベース（３１）と、支持ベース（３１）の長手方向に沿って所定ピッチで配列された複数の略垂直な支持片（３２）と、Ｕ字状に屈曲され且つその屈曲部が各支持片（３２）の上端または下端に連結された複数のバイメタル（３３）と、各バイメタル（３３）の両端部にそれぞれ設けられ且つ通気層の幅方向に突出するシャッタ片（３４）とを備えている。そして、各バイメタル（３３）は、常温条件下ではその対向端部に配置された各シャッタ片（３４）を相互に離間した状態に保持して通気層を開放し（図８参照）、１００〜２００℃の温度条件下では各シャッタ片（３４）を相互に当接した状態に保持して通気層を遮断する性状を備えている（図９参照）。
【００３０】
支持ベース（３１）は、前述した第１の発明に係る防炎シャッタ（１０）のシャッタベース（１１）と同様の金属板から成り、図３に示す構造用面材（Ｃ）に沿って略水平に延びる接合部（３１Ａ）と、この接合部（３１Ａ）の下縁から通気層（Ａ）内に略水平に張り出す複数の支持部（３１Ｂ）とを有する。各支持部（３１Ｂ）は、接合部（３１Ａ）の長手方向に所定ピッチで配列されており、各支持部（３１Ｂ）間に各通気孔（３１Ｃ）が形成されている。そして、接合部（３１Ａ）が構造用面材（Ｃ）に釘止めされることにより、支持ベース（３１）は通気層（Ａ）の幅方向に沿って略水平に架設される。
【００３１】
各支持片（３２）は、その上端が前記支持ベース（３１）の各支持部（３１Ｂ）の下面に溶接されている。各支持片（３２）は、図３に示す通気層（Ａ）の隙間間隔方向に沿って起立し、通気層（Ａ）の幅方向に沿って所定ピッチで配列されている。また、各バイメタル（３３）は、図３に示す通気層（Ａ）の隙間間隔より若干小さい幅寸法の帯状に形成され、そのＵ字状に屈曲する内面の中央部が各支持片（３２）の下端に溶接されている。
【００３２】
シャッタ片（３４）は、前記防炎シャッタ（１０）のシャッタ片（１２）と同種の金属板によりＬ字状の断面形状に形成されている。このシャッタ片（３４）は、バイメタル（３３）と同等の幅寸法を有し、その一片がバイメタル（３３）の端部外面に溶接されている。なお、シャッタ片（３４）の代りに、バイメタル（３３）の両端部を外側に略直角に折り曲げてシャッタ片を構成することも出来る。
【００３３】
第３の発明に係る防炎シャッタ（３０）は、第１の発明に係る防炎シャッタ（１０）と同様に、図３に示す通気層（Ａ）の水切開口部（Ｄ）の近傍、軒天開口部（Ｅ）の近傍または境界部（Ｈ）の近傍の少なくとも１個所に設置される。
【００３４】
通気層（Ａ）内に配置された第３の発明に係る防炎シャッタ（３０）は、常温条件下では、図８に示す様に、各バイメタル（３３）がＵ字状に閉じた収縮状態にあって、各バイメタル（３３）の対向端部に固定された各シャッタ片（３４）を相互に離間した状態に保持している。従って、通気層（Ａ）は、対向する各シャッタ片（３４）間の空間および支持ベース（３１）の各通気孔（３１Ｃ）を介して上下に連通するのであり、通気層（Ａ）を確実に開放してその通風を確実に維持することが出来る。
【００３５】
一方、火災発生によって通気層（Ａ）内の防炎シャッタ（３０）付近の温度が１００〜２００℃に達すると、図９に示す様に、各バイメタル（３３）が熱膨張して左右方向に拡がり、対向する各シャッタ片（３４）を相互に当接した状態に保持する。従って、通気層（Ａ）は、その幅方向に連続する各バイメタル（３３）及び各シャッタ片（３４）によって上下方向に遮断されるのであり、通気層（Ａ）を確実に遮断して火炎を遮断することが出来る。その結果、火炎が通気層（Ａ）を介して急速に広がる事態を回避することが出来、建築物の延焼を抑制することが出来る。
【００３６】
また、鎮火により通気層（Ａ）内の防炎シャッタ（３０）付近の温度が常温付近まで低下すると、図８に示す様に、各バイメタル（３３）がＵ字状に熱収縮し、対向する各シャッタ片（３４）を相互に離間した状態に復帰させる。従って、通気層（Ａ）を再び開放してその通風を回復することが出来る。
【００３７】
次に、第４の発明に係る防炎シャッタを説明する。第４の発明に係る防炎シャッタは、図１０及び図１１に符号（４０）で示す様に、建築物の通気層（Ａ）内に設置される防炎シャッタであって、複数の通気孔（４１Ａ）を有し且つ通気層（Ａ）を横断して架設される上部仕切片（４１Ｂ）および下部仕切片（４１Ｃ）が設けられたシャッタベース（４１）と、下部仕切片（４１Ｃ）に重なることでその通気孔（４１Ａ）を閉塞可能なシャッタ片（４２）と、下部仕切片（４１Ｃ）の通気孔（４１Ａ）を貫通してシャッタ片（４２）を上部仕切片（４１Ｂ）から吊持する吊持バネ（４３）とを備えている。そして、吊持バネ（４３）は、形状記憶合金から成り、常温条件下ではシャッタ片（４２）を下部仕切片（４１Ｃ）の下方に離間させる伸長状態に変形し（図１０参照）、１００〜２００℃の変態温度条件ではシャッタ片（４２）を下部仕切片（４１Ｃ）に重ねる収縮状態に復帰する性状を備えている（図１１参照）。
【００３８】
シャッタベース（４１）は、前述した第１の発明に係る防炎シャッタ（１０）のシャッタ片（１１）と同様の金属板から成り、図１０及び図１１に示す様に、コ字状の断面形状に形成されている。そして、このシャッタベース（４１）は、上部仕切片（４１Ｂ）の基部と下部仕切片（４１Ｃ）の基部とを接続する側壁部が構造用面材（Ｃ）に釘止めされることにより、通気層（Ａ）の幅方向に沿って略水平に架設される。斯かるシャッタベース（４１）において、上部仕切片（４１Ｂ）および下部仕切片（４１Ｃ）には、前記通気孔（１１Ａ）と同様の通気孔（４１Ａ）がその長手方向に沿って複数配列されている。
【００３９】
シャッタ片（４２）は、前記防炎シャッタ（１０）のシャッタ片（１２）と同様の金属板により、通気孔（４１Ａ）を閉塞可能な大きさの円板状に形成されている。また、吊持バネ（４３）は、その上端のフックが上部仕切片（４１Ｂ）の幅方向の略中央部に係止され、その下端の直線部分がシャッタ片（４２）の略中央部に固定されている。
【００４０】
第４の発明に係る防炎シャッタ（４０）は、第１の発明に係る防炎シャッタ（１０）と同様に、図３に示す通気層（Ａ）の水切開口部（Ｄ）の近傍、軒天開口部（Ｅ）の近傍または境界部（Ｈ）の近傍の少なくとも１個所に設置される。
【００４１】
通気層（Ａ）内に設置された第４の発明に係る防炎シャッタ（４０）は、常温条件下では、図１０に示す様に、吊持バネ（４３）が伸長状態にあって、各シャッタ片（４２）を下部仕切片（４１Ｃ）の下方に離間して吊持している。すなわち、各シャッタ片（４２）が下部仕切片（４１Ｃ）の各通気孔（４１Ａ）を開放するのであり、下部仕切片（４１Ｃ）及び上部仕切片（４１Ｂ）の各通気孔（４１Ａ）を介して通気層（Ａ）上下に連通する。従って、通気層（Ａ）を確実に開放してその通風を確実に維持することが出来る。
【００４２】
一方、火災発生によって通気層（Ａ）内の防炎シャッタ（４０）付近の温度が１００〜２００℃に達すると、図１１に示す様に、吊持バネ（４３）が収縮状態に復帰してシャッタ片（４２）を下部仕切片（４１Ｃ）に重ねる。すなわち、各シャッタ片（４２）が下部仕切片（４１Ｃ）の各通気孔（４１Ａ）を閉塞するのであり、通気層（Ａ）を確実に遮断して火炎を遮断することが出来る。その結果、火炎が通気層（Ａ）を介して急速に広がる事態を回避することが出来、建築物の延焼を抑制することが出来る。
【００４３】
また、鎮火により通気層（Ａ）内の防炎シャッタ（４０）付近の温度が常温付近まで低下すると、図１０に示す様に、各吊持バネ（４３）が伸長状態に復帰して各シャッタ片（４２）を下部仕切片（４１Ｃ）の下方に離間した状態に吊持する。従って、通気層（Ａ）を再び開放してその通風を回復することが出来る。
【００４４】
なお、前述した第１の発明に係る防炎シャッタ（１０）、第２の発明に係る防炎シャッタ（２０）及び第３の発明に係る防炎シャッタ（３０）は、それぞれ、図示の向きと天地を逆にして通気層（Ａ）内に設置されていてもよい。
【００４５】
【発明の効果】
以上説明した様に、第１の発明に係る防炎シャッタによれば、常温条件下では連結部材がシャッタ片をシャッタベースから離間した状態に保持し、シャッタベースの複数の通気孔を開くため、通気層を確実に開放することが出来る。一方、高温条件下では、連結部材が熱変形してシャッタ片をシャッタベースに重なる状態に保持し、シャッタベースの複数の通気孔を閉塞するため、通気層を確実に遮断することが出来る。従って、平常時には通気層の通風を維持でき、火災発生の際には火炎を確実に遮断でき、鎮火後には再び通気層の通風を回復できる。
【００４６】
また、第２の発明に係る防炎シャッタによれば、常温条件下では連結部材がシャッタ片をシャッタベースから離間した状態に保持し、シャッタベースの複数の通気孔を開くため、通気層を確実に開放することが出来る。一方、１００〜２００℃の高温時には、連結部材がシャッタ片をシャッタベースに重なった状態に保持し、シャッタベースの複数の通気孔を閉塞するため、通気層を確実に遮断することが出来る。従って、平常時には通気層の通風を維持でき、火災発生の際には火炎を確実に遮断でき、鎮火後には再び通気層の通風を回復できる。
【００４７】
更に、第３の発明に係る防炎シャッタによれば、常温条件下では各バイメタルが隣設された各シャッタ片を相互に離間した状態に保持するため、通気層を確実に開放することが出来る。一方、１００〜２００℃の温度条件下では、各バイメタルが隣設された各シャッタ片を相互に当接した状態に保持するため、通気層を確実に遮断することが出来る。従って、平常時には通気層の通風を維持でき、火災発生の際には火炎を確実に遮断でき、鎮火後には再び通気層の通風を回復できる。
【００４８】
また、第４の発明に係る防炎シャッタによれば、常温条件下では、伸長状態にある形状記憶合金製の吊持バネがシャッタ片を下部仕切片の下方に離間して吊持し、上部仕切片および下部仕切片の複数の通気孔を開くため、通気層を確実に開放することが出来る。一方、１００〜２００℃の変態温度条件では、吊持バネが収縮状態に復帰してシャッタ片を下部仕切片に重ね、下部仕切片の複数の通気孔を閉塞するため、通気層を確実に遮断することが出来る。従って、平常時には通気層の通風を維持でき、火災発生の際には火炎を確実に遮断でき、鎮火後には再び通気層の通風を回復できる。
【図面の簡単な説明】
【図１】第１の発明に係る防炎シャッタの構造を示す垂直断面図である。
【図２】第１の発明に係る防炎シャッタの作用を示す垂直断面図である。
【図３】本発明の防炎シャッタが設置される通気層を備えた建築物の壁部の垂直断面図である。
【図４】第２の発明に係る防炎シャッタの構造を示す垂直断面図である。
【図５】第２の発明に係る防炎シャッタの作用を示す垂直断面図である。
【図６】第２の発明に係る防炎シャッタのバイメタルの形状の一例を示す斜視図である。
【図７】第２の発明に係る防炎シャッタのバイメタルの形状の他の例を示す斜視図である。
【図８】第３の発明に係る防炎シャッタの構造を示す斜視図である。
【図９】第３の発明に係る防炎シャッタの作用を示す斜視図である。
【図１０】第４の発明に係る防炎シャッタの構造を示す垂直断面図である。
【図１１】第４の発明に係る防炎シャッタの作用を示す垂直断面図である。
【符号の説明】
１０  ：防炎シャッタ
１１  ：シャッタベース
１１Ａ：通気孔
１１Ｂ：接合片
１１Ｃ：接合片
１２  ：シャッタ片
１３  ：連結部材
２０  ：防炎シャッタ
２１  ：シャッタベース
２１Ａ：通気孔
２１Ｂ：接合片
２１Ｃ：接合片
２２  ：シャッタ片
２３  ：連結部材
２３Ａ：連結ロッド
２３Ｂ：バイメタル
２３Ｃ：通気孔
２３Ｄ：通気切欠き
３０  ：防炎シャッタ
３１  ：支持ベース
３１Ａ：接合部
３１Ｂ：支持部
３１Ｃ：通気孔
３２  ：支持片
３３  ：バイメタル
３４  ：シャッタ片
４０  ：防炎シャッタ
４１  ：シャッタベース
４１Ａ：通気孔
４１Ｂ：上部仕切片
４１Ｃ：下部仕切片
４２  ：シャッタ片
４３  ：吊持バネ
Ａ    ：通気層
Ｂ    ：外壁材
Ｃ    ：構造用面材
Ｄ    ：水切開口部
Ｅ    ：軒天開口部
Ｆ    ：内装材
Ｇ    ：断熱材
Ｈ    ：境界部
【図１】
0004017259.tif 000002
【図２】
0004017259.tif 000003
【図３】
0004017259.tif 000004
【図４】
0004017259.tif 000005
【図５】
0004017259.tif 000006
【図６】
0004017259.tif 000007
【図７】
0004017259.tif 000008
【図８】
0004017259.tif 000009
【図９】
0004017259.tif 000010
【図１０】
0004017259.tif 000011
【図１１】
0004017259.tif 000012